(57)【特許請求の範囲】
【請求項１】
収集部の後方側に把手部を有し、前記収集部は、前縁部から塵埃類が掃き込まれる底板部と、その底板部の両側から立ち上がっている両側壁部と、前記底板部の後側から立ち上がっている後壁部を有する塵取りであって、
前記後壁部のうち、その下端部よりも上方の位置に、後壁部の裏面側に液体を排出するための排液孔を有し、
前記後壁部の裏面側に、前記排液孔の少なくとも上方及び両側を囲む、排液の液切り用の突壁部を有することを特徴とする塵取り。
【請求項２】
後壁部の表面部における排液孔の下方に、収集部に収集された塵埃類の排液孔側への移動を阻害するための移動阻害用凸部および／または凹部を有する請求項１記載の塵取り。
【請求項３】
後壁部の両側の側壁部が、後壁部よりも後方に伸びてそれぞれ延伸側壁部を構成し、両延伸側壁部間に底部が形成されて後壁部の後方に液溜め凹部が設けられており、
その液溜め凹部には、裏面側に開口する液抜き孔を有し、
裏面側において、液抜き孔の少なくとも後方及び両側が上記液切り用の突壁部により囲まれている請求項１又は２記載の塵取り。
【発明の詳細な説明】
【技術分野】
【０００１】
本発明は、収集対象物に混在する液体を排出させるための排液孔を収集部に備える塵取りに関する。
【背景技術】
【０００２】
意匠登録第１０５５５９２号公報（特許文献１）には、「塵埃類収集部（ちり取り本体部）の後端上部に設けられた立ち上げ部（すなわち垂直状後壁の上方部）に、溜まった水を逃がすための後方開口の排水孔を設け、その排水口の前側に把手支柱が立設されたちり取り」が記載されている。
【０００３】
このちり取りにおいて、塵埃類収集部に収集した塵埃類と水等の液体が混在する収集物のうち液体を排水口から排出させるためには、塵埃類収集部を後方へ倒すようにする必要がある。その場合、排水口から排水された液体は、把手支柱を伝って使用者の把手に達するおそれがあった。
【特許文献１】意匠登録第１０５５５９２号公報
【発明の開示】
【発明が解決しようとする課題】
【０００４】
本発明は、従来技術に存した上記のような課題に鑑み行われたものであって、その目的とするところは、収集対象物に混在する液体を排出させるための排液孔を収集部に備え、排液孔から排出された液体が把手に伝うことが防がれる塵取りを提供することにある。
【課題を解決するための手段】
【０００５】
上記目的を達成する本発明の塵取りは、
収集部の後方側に把手部を有し、前記収集部は、前縁部から塵埃類が掃き込まれる底板部と、その底板部の両側から立ち上がっている両側壁部と、前記底板部の後側から立ち上がっている後壁部を有する塵取りであって、
前記後壁部のうち、その下端部よりも上方の位置に、後壁部の裏面側に液体を排出するための排液孔を有し、
前記後壁部の裏面側に、前記排液孔の少なくとも上方及び両側を囲む、排液の液切り用の突壁部を有することを特徴とする。
【０００６】
塵埃類と水等の液体が混在した対象物を収集部に収集した場合、塵埃類をごみ収容器等に廃棄する前に、収集した対象物から液体を分離除去することが望まれる。そのためには、後壁部を徐々に後方に傾け、できるだけ液体のみが排液孔から排出されるようにする。
【０００７】
後壁部の表面側である収集部側から排液孔を通じて排出される液体は、後壁部の裏面側に排出される。後壁部の裏面側における排液孔の少なくとも上方及び両側は、排液の液切り用の突壁部により囲まれているので、後壁部の裏面側に排出された液体は、液切り用の突壁部によって液切りがなされて下方へ離脱する。これにより、排液孔から後壁部の裏面側に排出された液体が側方へ飛散したり把手の方に伝っていって把手や把手を把持する使用者の手が排液で汚れることが防がれる。
【０００８】
本発明の塵取りは、後壁部の表面部における排液孔の下方に、収集部に収集された塵埃類の排液孔側への移動を阻害するための移動阻害用凸部および／または凹部を有することが望ましい。
【０００９】
この場合、後壁部を徐々に後方に傾けた際に、収集物中の塵埃類が後方へ移動することが、移動阻害用凸部および／または凹部により阻害されるので、塵埃類が排液孔から排出されることや排液孔を閉塞することを可及的に回避しつつ、対象物に混在する液体を排液孔から排出させる上で効果がある。
【００１０】
また、本発明の塵取りは、後壁部の両側の側壁部が、後壁部よりも後方に伸びてそれぞれ延伸側壁部を構成し、両延伸側壁部間に底部が形成されて後壁部の後方に液溜め凹部が設けられており、
その液溜め凹部には、裏面側に開口する液抜き孔を有し、
裏面側において、液抜き孔の少なくとも後方及び両側が上記液切り用の突壁部により囲まれているものであることが好ましい。
【００１１】
この場合、後壁部を徐々に後方に傾けた際に、一部の液体が排液孔から流出し切れず、後壁部の上端部を乗り越えた場合に、その液体は、両傾斜壁用側壁部及び両延伸側壁部により、後壁部の後方の液溜め凹部に案内され、液溜め凹部の液抜き孔から裏面側に排出される。そのため、後壁部を乗り越えた液体が溢れることが防がれる。液抜き孔から裏面側に排出された液体は、液切り用の突壁部によて液切りがなされて下方へ離脱するので、側方へ飛散したり把手や把手を把持する使用者の手が排液で汚れることが防がれる。
【発明の効果】
【００１２】
本発明の塵取りによれば、収集物中に混在する液体が排液孔から排出された場合に、排液孔から後壁部の裏面側に排出された液体は、液切り用の突壁部によって液切りがなされ、下方へ離脱することにより、側方へ飛散したり把手の方に伝っていって把手や把手を把持する使用者の手が排液で汚れることが防がれる。
【発明を実施するための最良の形態】
【００１３】
本発明の実施の形態を、図面を参照しつつ説明する。
【００１４】
図面は何れも本発明の実施の形態の一例としての塵取りについてのものであって、図１は斜視図、図２は平面図、図３は底面図、図４は中央部縦断面図、図５は裏面側要部拡大斜視図である。
【００１５】
塵取りは、収集部Ｃの後方側に把手部Ｈを有してなる。
【００１６】
収集部Ｃは、前縁部Ｂ１から塵埃類が掃き込まれる底板部Ｂと、その底板部Ｂの両側から立ち上がっている両側壁部Ｓと、底板部Ｂの後側から立ち上がっている後壁部Ｒを有する。
【００１７】
収集部Ｃの両側壁部Ｓは、後方に向かって漸次互いに間隔が縮小するものであるが、これに限らず、例えば互いに平行とすることができる。
【００１８】
底板部Ｂの前部には、収集部Ｃに掃き込まれた塵埃類が、使用中に前縁部Ｂ１からこぼれ落ちることを防ぐための、湾曲凸部Ｂ２が設けられている。
【００１９】
後壁部Ｒは、底板部Ｂに対し、その底板部Ｂが水平面上に載置された状態において後方に向かって上昇するように傾斜している。上昇傾斜の角度は、例えば８５度以下とすることができる。８０度以下、７５度以下、又は７０度以下とすることもでき、３０度以上、４５度以上、又は６０度以上とすることができる。後壁部の傾斜角度は、この例では一定角度であるが、段階的又は連続的に曲面状に傾斜が変化するものとすることもできる。尤も、後壁部は、必ずしも後方に向かって上昇するように傾斜するものに限らず、例えば直立するものとすることもできる。
【００２０】
後壁部Ｒのうち、その上半部に、後壁部Ｒの裏面側に液体を排出するための複数の排液孔Ｄを有する。排液孔Ｄは、収集部Ｃを後方に傾斜させて収集部Ｃに収容した液体を排液孔Ｄを通じて排出する際の姿勢において後壁部Ｒを下向きに貫通する複数の横長スリット状をなし、上下に複数並列状に設けられている。排液孔は、後壁部のうち、好ましくは下部３分の１よりも上方に設けることができ、下部３分の２より上方とすることもできる。排液孔の形状は、例えば縦長スリット状、斜め又は折曲スリット状、小孔等とすることができる。
【００２１】
後壁部Ｒの裏面側には、排液孔Ｄの上方及び両側を門形状に囲む、排液の液切り用の突壁部Ｗを有する。なお、液切り用の突壁部としては、排液孔の少なくとも上方及び両側を門形状に囲むものに限らず、上方及び両側、或いは、上方、両側、及び下方を、例えば、略Ｕ字状、略Ｖ字状、円弧状、方形状、円形状、又は楕円形状に囲むものとすることができる。
【００２２】
液切り用の突壁部Ｗの後方側の部分は、突壁部Ｗの稜線部Ｗ１（頂部に沿った部分）よりも、収集部Ｃを後方に傾斜させて収集部Ｃに収容した液体を排液孔Ｄを通じて排出する際の姿勢において下方へ突出しないよう形成されている。例えば、突壁部Ｗと同等に突出して突壁部Ｗに連結して後方側へ連続するリブや面等が設けられていない。この例の場合、液切り用の突壁部Ｗよりも後方側には突出構造が連続しないよう形成されている。これにより、排液孔Ｄを通じて後壁部Ｒの裏面側に排出される液体が、突壁部Ｗの稜線部Ｗ１から後方へ伝うことが防がれる。
【００２３】
液切り用の突壁部Ｗの後部両端位置には、それぞれ導液突起Ｗ２が設けられている。導液突起Ｗ２は、排液孔Ｄを通じて後壁部Ｒの裏面側に排出される液体が導液突起Ｗ２を伝って流下脱離するようにするためのものであり、収集部Ｃを後方に傾斜させて収集部Ｃに収容した液体を排液孔Ｄを通じて排出する際の姿勢において、ほぼ下方に突起するように形成されている。
【００２４】
後壁部Ｒの表面部における排液孔Ｄの下方には、収集部Ｃに収集された塵埃類の排液孔Ｄ側への移動を阻害するための移動阻害用横長溝部Ｇが、多数上下平行状に設けられている。
【００２５】
把手部Ｈは、後壁部Ｒから後上方に延設されている。把手部Ｈの両側は、後壁部Ｒの両側の側壁部Ｓが後壁部Ｒよりも後方に延伸された延伸側壁部Ｔにより構成されており、延伸側壁部Ｔ同士の間隔は、後上方に向かって漸次縮小している。両延伸側壁部Ｔの下側縁部同士は溝底板部Ｕにより連結されて、把手部Ｈの表側は、上方開口の縦溝状部Ｎに形成されている。
【００２６】
収集部Ｃと把手部Ｈは、全体が上方に開口した状態で連続しており、把手部Ｈの縦溝状部Ｎには箒Ｍの柄部Ｍ１が嵌合し、収集部Ｃの前部側に箒Ｍの掃部Ｍ２が収容されることにより、箒Ｍが着脱可能に保持される。
【００２７】
収集部Ｃの後壁部Ｒから把手部Ｈの基部の裏面部にわたる両側に、それぞれ弧状リブＡが設けられている。突壁部Ｗ及び液溜め凹部Ｅの裏面側部分は、両弧状リブＡの高さ以下の突出高さに形成されている。
【００２８】
後壁部Ｒの頂部の両側に、側壁部Ｓの高さよりも低い堰板部Ｌがそれぞれ立設され、両堰板部Ｌ間に方形状堰部Ｑが形成されている。その堰板部Ｌの後方側には、縦断面略Ｖ字形状の液溜め凹部Ｅが設けられており、その液溜め凹部Ｅの底部には、裏面側に開口する液抜き孔Ｊを有する。液抜き孔Ｊの裏面側の開口は、液切り用の突壁部Ｗにより囲まれている。液溜め凹部Ｅの後方側には、把手部Ｈの端部側へ液が流れるのを防ぐための、延伸側壁部Ｔの高さよりも低いせき止め壁Ｋが設けられている。
【００２９】
塵取りとして使用する際は、箒Ｍを取り外した上で、通常、少なくとも底板部Ｂの前縁部Ｂ１が清掃対象面に接した状態として、前縁部Ｂ１から塵埃類を収集部Ｃに掃き込む。例えば、底板部Ｂにおいて清掃対象面に載置した状態、すなわち底板部Ｂの前縁部Ｂ１と後端部が清掃対象面に接する状態で使用することが可能である。
【００３０】
収集部Ｃに収容した収集物に、塵埃類の他に水等の液体類が混在する場合、収集部Ｃを後方に傾斜させることにより、その液体を、後壁部Ｒに設けられた排液孔Ｄを通じて裏面側に排出する。後壁部Ｒの表面部における排液孔Ｄの下方には、収集部Ｃに収集された塵埃類の排液孔Ｄ側への移動を阻害するための移動阻害用横長溝部Ｇが、多数上下平行状に設けられているので、収集部Ｃを後方に傾斜させた場合に収集物中の塵埃類が後方へ移動することが阻害され、塵埃類が排液孔Ｄから排出されることや排液孔Ｄを閉塞することを可及的に回避しつつ、対象物に混在する液体を排液孔Ｄから排出させる上で効果がある。
【００３１】
また、後壁部Ｒは、底板部Ｂに対し、その底板部Ｂが水平面上に載置された状態において後方に向かって上昇するように傾斜しているので、後壁部Ｒが底板部Ｂに対し垂直状である場合に比し、底板部Ｂの後方下降傾斜の角度が浅い段階で、後壁部Ｒの排液孔Ｄに、対象物における液体が到達することになる。そのため、収集物中の塵埃類が後方へ大きく移動して塵埃類が排液孔Ｄから排出されることや排液孔Ｄを閉塞することを回避しつつ、対象物に混在する液体を排液孔Ｄから排出させることができる。
【００３２】
後壁部Ｒの裏面側における排液孔Ｄの開口部は、排液の液切り用の突壁部Ｗにより、上方及び両側が門形状に囲まれているので、排液孔Ｄを通じて後壁部Ｒの裏面側に排出された液体は、液切り用の突壁部Ｗによって液切りがなされ下方へ離脱する。特に、導液突起Ｗ２を伝って流下する。これにより、排液孔Ｄから後壁部Ｒの裏面側に排出された液体が側方へ飛散したり把手部Ｈの方に伝っていって把手部Ｈや把手部Ｈを把持する使用者の手が排液で汚れることが防がれる。
【００３３】
後壁部Ｒを後方に傾けた際に、一部の液体が排液孔Ｄから流出し切れず、後壁部Ｒの上端部を乗り越えた場合に、その液体は、両傾斜壁用側壁部Ｓ及び両延伸側壁部Ｔにより、後壁部Ｒの後方の液溜め凹部Ｅに案内され、液溜め凹部Ｅの液抜き孔Ｊから裏面側に排出される。そのため、後壁部Ｒを乗り越えた液体が溢れることが防がれる。液抜き孔Ｊから裏面側に排出された液体は、液切り用の突壁部Ｗによて液切りがなされて塵下方へ離脱するので、側方へ飛散したり把手部Ｈや把手部Ｈを把持する使用者の手が排液で汚れることが防がれる。
【００３４】
このように収集部Ｃから液体を可及的に排出した後、収集部Ｃに収容した塵埃類をごみ箱等に廃棄する。
【００３５】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３６】
【図１】斜視図である。
【図２】平面図である。
【図３】底面図である。
【図４】中央部縦断面図である。
【図５】裏面側要部拡大斜視図である。
【符号の説明】
【００３７】
Ａ      弧状リブ
Ｂ      底板部
Ｂ１    前縁部
Ｂ２    湾曲凸部
Ｃ      収集部
Ｄ      排液孔
Ｅ      液溜め凹部
Ｇ      移動阻害用横長溝部
Ｈ      把手部
Ｊ      液抜き孔
Ｋ      せき止め壁
Ｌ      堰板部
Ｍ      箒
Ｍ１    柄部
Ｍ２    掃部
Ｎ      縦溝状部
Ｑ      方形状堰部
Ｒ      後壁部
Ｓ      側壁部
Ｔ      延伸側壁部
Ｕ      溝底板部
Ｗ      突壁部
Ｗ１    稜線部
Ｗ２    導液突起
【図１】
0004929078.tif 000002
【図２】
0004929078.tif 000003
【図３】
0004929078.tif 000004
【図４】
0004929078.tif 000005
【図５】
0004929078.tif 000006